(57)【要約】【課題】  この発明は屋内配線工事における各回路の配線・結線工事及び点検・結線変更作業等が誰でも短時間で簡単に出来、しかも作業性・安全性・経済性面で効果的なシーリング取付金具付着脱式電線コネクター内蔵型ジョイントボックス及びその取付方法を開発・提供する事にある。【解決手段】  ジョイントボックスは主として着脱式電線コネクター内蔵型ジョイントボックスと着脱式引掛けシーリング取付金具に分割構成され、且つ、着脱式電線コネクター内蔵型ジョイントボックスに内蔵される円筒型コネクターは、電源が連続して供給出来、且つ、電極配列を各部屋の使用目的・状況に適合して変更可能にしたものである。【選択図】  図５
2006020435.tif 000002
【特許請求の範囲】
【請求項１】
屋内配線工事の各回路の結線部に使用する結線治具と引っ掛けシーリング等取付治具で構成する結線装置において、該結線装置は主として着脱式集合型電線コネクター内蔵型ジョイントボックス（ＪＢ）と着脱式引掛けシーリング等取付治具（ＳＢ）に分割構成され、且つ、着脱式集合型電線コネクター内蔵型ジョイントボックス（ＪＢ）に内蔵される集合型電線コネクター（２）は、電源供給回路部とジョイント回路部の集合体とから成り、且つ、電極配列を各部屋の使用目的・状況に適合して変更可能にし、且つ、着脱式引掛けシーリング等取り付け治具（ＳＢ）は、該治具を取り外す事により、回路の結線部を天井より取り出す事を可能せしめる事を特徴とする着脱式引掛けシーリング等取付治具付着脱式集合型電線コネクター内蔵型ジョイントボックス。
【請求項２】
着脱式集合型電線コネクター内蔵型ジョイントボックス（ＪＢ）は、透明、又は不透明の合成樹脂等の絶縁材で形成され、上部が密閉されたほぼ筒型等のジョイントボックス本体（１ａ）上部・側面に釘（Ｎ）やボルト（Ｂ）・ナット（ＮＡ）・ワッシャ（ＷＡ）等を使用して係着可能な複数の取付穴（１ｂ）（１ｄ）（１ｃ）を有し、且つ、該ジョイントボックス本体（１ａ）の内周上方部に、集合型電線コネクター（２）取付用係止部（１ｅ）を有する集合型電線コネクター内蔵型ジョイントボックス（１）と、上部に蓋（２ｂ）を有する合成樹脂等の絶縁材で形成された集合型電線コネクター本体（２ａ）を設け、且つ、該集合型電線コネクター本体（２ａ）の内部には、電極配列に適合し、平面・波状等の接触給電部と屈曲部を有する櫛状・帯状等の形態から成る連続導電体（２ｃ）、コの字型又は□型等のバネ受け（２ｄ）、及びＳ字型・Ｃ字型・Ｙ字型等の押圧バネ（２ｅ）をそれぞれ組み合わせて内蔵し、下面部に電線挿入口（２ａ’）を複数箇所設け、且つ、該集合型電線コネクター本体（２ａ）の外周には、ジョイントボックス本体（１ａ）の係止部（１ｅ）に係止可能な係止溝（２ｈ）部を設けた事を特徴とする請求項１記載の着脱式引掛けシーリング等取付治具付着脱式集合型電線コネクター内蔵型ジョイントボックス。
【請求項３】
着脱式引掛けシーリング等取付治具（ＳＢ）は、着脱式集合型電線コネクター内蔵型ジョイントボックス（ＪＢ）取り付け下部のほぼ同一線上に位置する天井（Ｃ）部に引掛けシーリング取付用開口部（ｈ）を設け、且つ、該引掛けシーリング取付用開口部（ｈ）に、開口部の縁に係止し横振れを防止する穴ガイド（３ｄ）を有する引掛けシーリング取付上金具（３）を天井裏側に挿入嵌着し、且つ、該引掛けシーリング取付上金具（３）の取付ネジ部（３ｃ）に締付ビス等の係止部材（Ｓ）を使用して、開口部の縁に係止し横振れを防止する穴ガイド（４ｂ）を有する引掛けシーリング取付下金具（４）と、引掛けシーリング取付板（５）と、引掛けシーリング板用プレート（６）等を組み合わせて係止して設けた事を特徴とする請求項１記載の着脱式引掛けシーリング等取付治具付着脱式集合型電線コネクター内蔵型ジョイントボックス。
【請求項４】
着脱式集合型電線コネクター内蔵型ジョイントボックス（ＪＢ）と着脱式引掛けシーリング等取付治具（ＳＢ）は、着脱可能な上下所定位置（Ｈ）のほぼ同一線上に施工取り付けされ、且つ、該着脱式集合型電線コネクター内蔵型ジョイントボックス（ＪＢ）は天井裏の梁（ＢＥ）等に打設した釘等の係止部材（Ｎ）に係着して設け、且つ、該着脱式引掛けシーリング等取付治具（ＳＢ）は、天井（Ｃ）部に引掛けシーリング取付上金具（３）に適合した所定寸法（Ｄ）を有する開口部（ｈ）を設け、且つ、開口部に係止した引掛けシーリング取付上金具（３）に、引掛けシーリング取付下金具（４）と、引掛けシーリング取付板（５）と、引掛けシーリング板用プレート（６）等を組み合わせ、締付ビス等の係止部材で固着して設け、且つ、結線変更及び配線変更工事時には、着脱式引掛けシーリング等取付治具（ＳＢ）部を取り外した後、集合型電線コネクター（２）部をジョイントボックス（１）から取り外して、天井部に設けた開口部（ｈ）から取り出し、結線変更及び配線変更工事を可能にした事を特徴とする取付方法。
【発明の詳細な説明】
【技術分野】
【０００１】
この発明は、屋内配線工事の各回路の結線部に使用する着脱式引掛けシーリング等取付治具付着脱式集合型電線コネクター内蔵型ジョイントボックス及びその取付方法に関するものである。
【背景技術】
【０００２】
従来の屋内配線工事において、ユニット電線を使用して屋内配線工事を実施する場合、結線部が樹脂等で密閉されている為、回路を分散する配線工事は可能であるが、天井張り工事終了後は、回路の接続部が天井で隠蔽される為に、点検及び結線変更等の作業ができない等の問題が有った。
【０００３】
又、従来型のコネクターと、ジョイントボックスを使用して屋内配線工事を実施する場合、コネクターの極数以上使用する場合、図７（Ａ）に示す様に、極数を増設する為に、電源の渡り線が必要と成り、その影響で接触抵抗が増え、結線部が増大する等の欠点が有った。
【０００４】
次に、これまでに出願された、従来型のユニットケーブル用ジョイントボックスの特許文献を参考の為に紹介する。（特許文献１〜３参照。）
【特許文献１】特開平０９−０２３５３５
【特許文献２】特開２００１−０８６６２３
【特許文献３】特開２００４−００７８７８
【発明の開示】
【発明が解決しようとする課題】
【０００５】
そこで、上記課題を解決する為に、この発明は屋内配線工事における、各回路の配線・結線工事及び点検・結線変更作業等が誰でも短時間で簡単に出来、且つ、作業性・安全性・経済性面で効果的な着脱式引掛けシーリング等取付治具付着脱式集合型電線コネクター内蔵型ジョイントボックス及びその取付方法を開発・提供する事にある。
【課題を解決するための手段】
【０００６】
この課題を解決する為の手段として、この発明は、屋内配線工事の各回路の結線部に使用する結線治具と引っ掛けシーリング等取り付け治具で構成する結線装置において、該結線装置は主として着脱式集合型電線コネクター内蔵型ジョイントボックスと着脱式引掛けシーリング等取付治具に分割構成され、且つ、着脱式集合型電線コネクター内蔵型ジョイントボックスに内蔵される集合型電線コネクターは、電源供給回路部とジョイント回路部の集合体とから成り、且つ、電極配列を各部屋の使用目的・状況に適合して変更可能にし、且つ、着脱式引掛けシーリング等取り付け治具は、該治具を取り外す事により、回路の結線部を天井より取り出す事を可能せしめるものである。
【０００７】
又、着脱式集合型電線コネクター内蔵型ジョイントボックスは、透明、又は不透明の合成樹脂等の絶縁材で形成され、上部が密閉されたほぼ筒型等のジョイントボックス本体上部・側面に釘やボルト・ナット・ワッシャ等を使用して係着可能な複数の取付穴を有し、且つ、該ジョイントボックス本体の内周上方部に、集合型電線コネクター取付用係止部を有する集合型電線コネクター内蔵型ジョイントボックスと、上部に蓋を有する合成樹脂等の絶縁材で形成された集合型電線コネクター本体を設け、且つ、該集合型電線コネクター本体（２ａ）の内部には、電極配列に適合し、平面・波状等の接触給電部と屈曲部を有する櫛状・帯状等の形態から成る連続導電体、コの字型又は□型等のバネ受け、及びＳ字型・Ｃ字型・Ｙ字型等の押圧バネをそれぞれ組み合わせて内蔵し、下面部に電線挿入口を複数箇所設け、且つ、該集合型電線コネクター本体の外周には、ジョイントボックス本体の係止部に係止可能な係止溝部を設けたものである。
【０００８】
又、着脱式引掛けシーリング等取付治具等は、着脱式集合型電線コネクター内蔵型ジョイントボックス取り付け下部のほぼ同一線上に位置する天井部に引掛けシーリング取付用開口部を設け、且つ、該引掛けシーリング取付用開口部に、開口部の縁に係止し横振れを防止する穴ガイドを有する引掛けシーリング取付上金具を天井裏側に挿入嵌着し、且つ、該引掛けシーリング取付上金具の取付ネジ部に締付ビス等の係止部材を使用して、開口部の縁に係止し横振れを防止する穴ガイドを有する引掛けシーリング取付下金具と、引掛けシーリング取付板と、引掛けシーリング板用プレート等を組み合わせて係止して設けたものである。
【０００９】
着脱式集合型電線コネクター内蔵型ジョイントボックスと着脱式引掛けシーリング等取付治具は、着脱可能な上下所定位置のほぼ同一線上に施工取り付けされ、且つ、該着脱式集合型電線コネクター内蔵型ジョイントボックスは天井裏の梁等に打設した釘等の係止部材に係着して設け、且つ、該着脱式引掛けシーリング等取付治具は、天井部に引掛けシーリング取付上金具に適合した所定寸法を有する開口部を設け、且つ、開口部に係止した引掛けシーリング取付上金具に、引掛けシーリング取付下金具と、引掛けシーリング取付板と、引掛けシーリング板用プレート等を組み合わせ、締付ビス等の係止部材で固着して設け、且つ、結線変更及び配線変更工事時には、着脱式引掛けシーリング等取付治具部を取り外した後、集合型電線コネクター部をジョイントボックスから取り外して、天井部に設けた開口部から取り出し、結線変更及び配線変更工事を可能にしたものである。
【発明の効果】
【００１０】
この発明の効果として、着脱式集合型電線コネクター内蔵型ジョイントボックスを着脱可能な引掛けシーリング等取付治具と、所定間隔空けた上部ほぼ同一腺上に設ける事で、集合型電線コネクター部を簡単に天井穴から取り出し可能とし、建築途中、及び建築後の点検・配線間違い等による接続変更が可能となる。又、各部屋の中央部に結線部が配置出来る為、回路の分散が可能となり結線部から器具までの支線の使用量の削減や、配線工事の短縮・容易化が図れ、大幅なコスト低減が出来る。
【００１１】
又、この発明の着脱式引掛けシーリング等取付治具付着脱式集合型電線コネクター内蔵型ジョイントボックスを使用しての配線では、電線の渡り線が不要な為、接触抵抗を最小減に抑える事が出来、又、全てのコネクターが有効に使用出来、連続導電体を屈曲さす事により集合型電線コネクター本体を小型化出来る。そして、更に、電線支線が少なく成る為に、梁等に支線を通す穴径を小型化出来、構造体の強化が図れる等極めて有益なる効果を奏するものである。
【発明を実施するための最良の形態】
【００１２】
この発明の最良の形態として、コネクターの部品点数を極力減らし、最小限度のコストに抑える為に、各部屋の使用目的・状況に適合した電極配列にする事が望ましい。
【実施例１】
【００１３】
そこで、この発明の一実施例を図１〜図４に基づいて詳述すると、屋内配線工事の各回路の結線部に使用する結線治具と引っ掛けシーリング取り付け治具で構成する結線装置において、該結線装置は主として着脱式集合型電線コネクター内蔵型ジョイントボックス（ＪＢ）と着脱式引掛けシーリング等取付治具（ＳＢ）に分割構成され、且つ、着脱式集合型電線コネクター内蔵型ジョイントボックス（ＪＢ）に内蔵される集合型電線コネクター（２）は、電源供給回路部とジョイント回路部の集合体とから成り、且つ、電極配列を各部屋の使用目的・状況に適合して変更可能にした事を特徴とする着脱式引掛けシーリング等取付治具付着脱式集合型電線コネクター内蔵型ジョイントボックスから構成される。
【００１４】
又、着脱式集合型電線コネクター内蔵型ジョイントボックス（ＪＢ）は、透明、又は不透明の合成樹脂等の絶縁材で形成され、上部が密閉されたほぼ筒型等のジョイントボックス本体（１ａ）上部・側面に釘（Ｎ）やボルト（Ｂ）・ナット（ＮＡ）・ワッシャ（ＷＡ）等を使用して係着可能な複数の取付穴（１ｂ）（１ｄ）（１ｃ）を有し、且つ、該ジョイントボックス本体（１ａ）の内周上方部に、集合型電線コネクター（２）取付用係止部（１ｅ）を有する集合型電線コネクター内蔵型ジョイントボックス（１）と、上部に蓋（２ｂ）を有する合成樹脂等の絶縁材で形成された集合型電線コネクター本体（２ａ）を設け、且つ、該集合型電線コネクター本体（２ａ）の内部には、電極配列に適合し、平面・波状等の接触給電部と屈曲部を有する櫛状・帯状等の形態から成る連続導電体（２ｃ）、コの字型又は□型等のバネ受け（２ｄ）、及びＳ字型・Ｃ字型・Ｙ字型等の押圧バネ（２ｅ）をそれぞれ組み合わせて内蔵し、下面部に電線挿入口（２ａ’）を複数箇所設け、且つ、該集合型電線コネクター本体（２ａ）の外周には、ジョイントボックス本体（１ａ）の係止部（１ｅ）に係止可能な係止溝（２ｈ）部を設けた事を特徴とする着脱式引掛けシーリング等取付治具付着脱式集合型電線コネクター内蔵型ジョイントボックスから構成される。
【００１５】
又、着脱式引掛けシーリング等取付治具（ＳＢ）は、着脱式集合型電線コネクター内蔵型ジョイントボックス（ＪＢ）取り付け下部のほぼ同一線上に位置する天井（Ｃ）部に引掛けシーリング取付用開口部（ｈ）を設け、且つ、該引掛けシーリング取付用開口部（ｈ）に、開口部の縁に係止し横振れを防止する穴ガイド（３ｄ）を有する引掛けシーリング取付上金具（３）を天井裏側に挿入嵌着し、且つ、該引掛けシーリング取付上金具（３）の取付ネジ部（３ｃ）に締付ビス等の係止部材（Ｓ）を使用して、開口部の縁に係止し横振れを防止する穴ガイド（４ｂ）を有する引掛けシーリング取付下金具（４）と、引掛けシーリング取付板（５）と、引掛けシーリング板用プレート（６）等を組み合わせて係止して設けた事を特徴とする請求項１記載の着脱式引掛けシーリング等取付治具付着脱式集合型電線コネクター内蔵型ジョイントボックスから構成される。
【００１６】
次に、この発明の取付方法、及び使用方法について説明すると、着脱式集合型電線コネクター内蔵型ジョイントボックス（ＪＢ）と、着脱式引掛けシーリング等取付治具（ＳＢ）は、図５に示す様に、着脱可能な上下所定位置（Ｈ）のほぼ同一線上に施工取り付けされ、且つ、該着脱式集合型電線コネクター内蔵型ジョイントボックス（ＪＢ）は、天井裏の梁（ＢＥ）部等に打設した釘等の係止部材（Ｎ）に係着して設け、且つ、該着脱式引掛けシーリング等取付金具（ＳＢ）は、天井（Ｃ）部に引掛けシーリング取付上金具（３）に適合した所定寸法（Ｄ）を有する開口部（ｈ）を設け、且つ、開口部に係止した引掛けシーリング取付上金具（３）に引掛けシーリング取付下金具（４）と、引掛けシーリング取付板（５）と、引掛けシーリング板用プレート（６）等を組み合わせ、締付ビス等の係止部材で固着して設け、且つ、結線変更及び配線変更工事時には、着脱式引掛けシーリング等取付金具（ＳＢ）部を取り外した後、集合型電線コネクター（２）部をジョイントボックス（１）から取り外して、天井部に設けた開口部（ｈ）から取り出し、結線変更及び配線変更工事をする。
【００１７】
次に、各部品毎に詳細説明すると、まず最初に戸建住宅等における屋内配線工事の場合には、天井張り工事をする前に予め、配線工事を済ませ、その後、図５に示す様に、天井裏の梁部に釘を打設し、その部分に着脱式集合型電線コネクター内蔵型ジョイントボックス（１）の取付穴部に引掛けて固定させる。又、高層住宅等の天井裏の狭い場所に使用する場合は、図６（Ａ）（Ｂ）に示す様に、縦向き或いは横向きにボルト（Ｂ）・ナット（ＮＡ）・ワッシャー（ＷＡ）等を使用して固定させて使用する。
【００１８】
次に、集合型電線コネクター（２）の部品構成、及び組立手順について説明すると、まず部品構成は、図２（Ａ）に示す様に、上部を蓋（２ｂ）で覆った集合型電線コネクター本体（２ａ）と、連続導電体（２ｃ）と、コの字型バネ受け（２ｄ）と、Ｓ字型押圧バネ（２ｅ）で構成され、組立手順は一例をあげると、図２（Ｂ）に示す様な電極配列の場合、集合型電線コネクター本体（２ａ）の溝形状に沿って折り曲げた５種類（１５極×１．１３極×１．６極×１．３極×４．２極×６）の連続導電体（２ｃ）をコネクターの溝部に配列し、又、図３（Ａ）に示す様に、集合型電線コネクター（２）は電極配列に適合し、平面・波状等の接触給電部と屈曲部を有する櫛状・帯状等の形態から成る連続導電体（２ｃ）の平板部に、コの字型バネ受け（２ｄ）を組み合わせ、更に、コの字型バネ受け（２ｄ）内部に、Ｓ字型押圧バネ（２ｅ）を極数に合わせた数だけ組み込み、最後に蓋（２ｂ）を上から覆って完了する。尚、電極配列に関しては、その都度各部屋の使用目的や状況に合わせて配列する事が望ましい。
【００１９】
次に、着脱式引掛けシーリング等取付治具（ＳＢ）の部品構成及び組立手順について説明すると、部品構成は図４、又は図５に示す様に、引掛けシーリング取付上金具（３）と、引掛けシーリング取付下金具（４）と、引掛けシーリング取付板（５）と、引掛けシーリング板用プレート（６）と、締付ビス（Ｓ）とで構成され、組立手順は、図４に示す様に、まず最初に天井の中央部に設けた開口部（ｈ）に、引掛けシーリング取付上金具（３）を天井の内側部に引掛ける様にして嵌着し、そして引掛けシーリング取付下金具（４）と、引掛けシーリング取付板（５）と、引掛けシーリング板用プレート（６）を組み合わせた後に、締付ビスを引掛けシーリング取付上金具（３）のネジ部（３ｃ）に締結させて固着する。
【００２０】
又、図７（Ａ）（Ｂ）は、従来型接続コネクター（Ａ）と、本発明の接続コネクター（Ｂ）の相違点を分かり易く図面化したもので、従来型接続コネクターに比較し、本発明の接続コネクター（Ｂ）は渡り線が不要に成る為、出力端子部が大幅に増やせ、導電部を屈曲せしめる事により小型化が可能になると言う事になる。
【実施例２】
【００２１】
その他の事例として、特に電極部の形状・構成部品等に関しては、各メーカーによってそれぞれ相違がある。例えば、押圧バネは、本発明のＳ字型押圧バネ以外に、Ｃ型・連続Ｃ型・Ｙ型等の押圧バネを使用したものが有り、又、導電部も本発明の屈曲部を有する櫛状・帯状導電部以外に屈曲部の無い波状給電部を使用して横振れを防止するタイプのもの等がある。
【産業上の利用可能性】
【００２２】
この発明の着脱式引掛けシーリング等取付治具付着脱式集合型電線コネクター内蔵型ジョイントボックスは、屋内配線工事において、各回路の配線・結線工事及び点検・結線変更作業等が誰でも短時間で簡単に出来、しかも作業性・安全性・経済性面で効果を発揮する点で産業上の利用可能性を有する。
【図面の簡単な説明】
【００２３】
【図１】この発明の一実施例を示し、着脱式集合型電線コネクター内蔵型ジョイントボックスの斜視図である。
【図２】この発明の一実施例を示し、（Ａ）は集合型電線コネクターの一部欠截正面図で、（Ｂ）は（Ａ）の円形状の蓋を取り外した時のａ−ａ矢視図である。
【図３】この発明の一実施例を示し、（Ａ）はコネクターに内蔵される連続導電体とコの字型バネ受けとＳ字型押圧バネを組み合わせた斜視図で、（Ｂ）はコの字型バネ受けの斜視図で、（Ｃ）はＳ字型押圧バネの斜視図である。
【図４】この発明の一実施例を示し、着脱式引掛けシーリング等取付治具の分解・組立要領図である。
【図５】この発明の使用例を示し、正面視断面図である。
【図６】この発明のその他の使用例を示し、（Ａ）は縦向き取付要領図で、（Ｂ）は横向き取付要領図である。
【図７】従来例とこの発明の比較図を示し、（Ａ）は従来型接続コネクターの斜視図で、（Ｂ）はこの発明の接続コネクターの斜視図である。
【符号の説明】
【００２４】
１  集合型電線コネクター内蔵型ジョイントボックス
１ａ  ジョイントボックス本体
１ｂ  取付穴
１ｃ  取付穴
１ｄ  取付穴
１ｅ  係止部
２  集合型電線コネクター
２ａ  集合型電線コネクター本体
２ａ’  電線挿入口
２ｂ  蓋
２ｃ  連続導電体
２ｄ  バネ受け
２ｅ  押圧バネ
２ｆ  押圧バネのストッパー部
２ｇ  押圧バネの電線押え部
２ｈ  係止溝
３  引掛けシーリング取付上金具
３ａ  引掛けシーリング取付上金具本体
３ｂ  電線挿入穴
３ｃ  取付ネジ部
３ｄ  穴ガイド
４  引掛けシーリング取付下金具
４ａ  引掛けシーリング取付下金具本体
４ｂ  穴ガイド
４ｃ  締付ビス用穴
４ｄ  引掛けシーリング取付ネジ部
５  引掛けシーリング取付板
５ａ  引掛けシーリング取付板本体
５ｂ  引掛爪
５ｃ  ビス逃し溝
５ｄ  引掛けシーリング取付穴
６  引掛けシーリング板用プレート
Ｂ  ボルト
ＢＥ  梁
Ｃ  天井
Ｄ  開口部の所定寸法
ＧＢ  石膏ボード
Ｈ  上下所定間隔
ｈ  引掛けシーリング取付用穴
ＪＢ  着脱式集合型電線コネクター内蔵型ジョイントボックス
Ｎ  釘
ＮＡ  ナット
Ｓ  締付ビス
ＳＢ  着脱式引掛けシーリング等取付治具
ＳＥ  引掛けシーリング
Ｖ  ベニヤ補強材
Ｗ  電線
ＷＡ  ワッシャ
【図１】
2006020435.tif 000003
【図２】
2006020435.tif 000004
【図３】
2006020435.tif 000005
【図４】
2006020435.tif 000006
【図５】
2006020435.tif 000007
【図６】
2006020435.tif 000008
【図７】
2006020435.tif 000009